(57)【特許請求の範囲】
【請求項１】
通電の有無に応じて、シャッタ幕を走行させるか否かを切り替える駆動制御機構部と、
基板と、
前記基板上の２点間を異なる抵抗値で並列に接続する高抵抗配線及び低抵抗配線の組を１つ以上含み、前記駆動制御機構部に電気的に接続される配線とを備える
カメラ用フォーカルプレーンシャッタ。
【請求項２】
基板は、前記２点間を接続する配線の組のうち、抵抗値が小さい配線の両脇に設けられた穴を有する
請求項１に記載のカメラ用フォーカルプレーンシャッタ。
【請求項３】
通電の有無に応じて、シャッタ幕を走行させるか否かを切り替える駆動制御機構部と、
基板と、
前記基板上の２点の間を接続する高抵抗配線と、離間した部分を含んで前記基板上の２点の各々に接続する低抵抗配線との組を１つ以上含み、前記駆動制御機構部に電気的に接続される配線とを備え、
前記離間した部分が電気的に接続された場合に、当該電気的に接続された低抵抗配線の抵抗値が、当該電気的に接続された低抵抗配線と同じ組に含まれる前記高抵抗配線の抵抗値よりも小さい
カメラ用フォーカルプレーンシャッタ。
【請求項４】
前記駆動制御機構部は、自己保持型ソレノイドを含む
請求項１から３のいずれか１項に記載のカメラ用フォーカルプレーンシャッタ。
【請求項５】
請求項１から４のいずれか１項に記載のカメラ用フォーカルプレーンシャッタと、
前記配線を介して前記駆動制御機構部に通電させるか否かを制御する制御部とを備える
カメラ。
【発明の詳細な説明】
【技術分野】
【０００１】
本発明は、カメラ用フォーカルプレーンシャッタ及びカメラに関する。
【背景技術】
【０００２】
カメラに搭載されるフォーカルプレーンシャッタ（以下、単に「シャッタ」ともいう。）では、複数の羽根から構成されるシャッタ幕が、セット状態において所定の状態で保持されるものがある。シャッタ幕は、その後、レリーズボタンの押下に応じてレリーズ信号が入力すると、セット状態での保持が解かれて、バネなどの付勢力を駆動源として走行する。
【０００３】
この種のシャッタは、シャッタ幕の状態を保持するための駆動制御機構部を備える。駆動制御機構部は、シャッタ幕を駆動するための駆動レバーに鉄片と、電磁石、自己保持型ソレノイドなどとを含む。駆動制御機構部は、レリーズ信号に応じて、電磁石、自己保持型ソレノイドなどへ通電させるか否かが切り替えられることによって、駆動レバーに設けた鉄片を磁力で吸着保持したセット状態と、その吸着保持を解いた状態とを切り替える。例えば、電磁石が採用される場合、レリーズ信号に応じて電磁石への通電を停止することによって、セット状態が解かれる。また例えば、自己保持型ソレノイドが採用される場合、レリーズ信号に応じて自己保持型ソレノイドへ通電することによって、セット状態が解かれる。
【先行技術文献】
【特許文献】
【０００４】
【特許文献１】特開２０１４−１８２２１６号公報
【発明の概要】
【発明が解決しようとする課題】
【０００５】
レリーズ信号に応じて、電磁石、自己保持型ソレノイドなどへ通電するか否かが切り替えられても、直ちに吸着保持が解かれて、シャッタ幕が走行を開始するわけではなく、数マイクロ秒〜数十マイクロ秒程度の時間的なズレが生じる。このような、駆動制御機構部への通電が切り替えられてからシャッタ幕が走行を開始するまでの時間遅れは、シャッタごとに個体差がある。
【０００６】
上記の時間遅れの個体差を調整するために機械的な構成を追加すると、シャッタが大型化し、シャッタの構成が複雑化し、シャッタが高価格になってしまう。また、駆動制御機構部に含まれる電磁石、自己保持型ソレノイドなどのコイルの巻き数、コイルを構成する配線の太さなどを変更することで、上記の時間遅れを調整することも可能ではあるが、シャッタごとに電磁石、自己保持型ソレノイドなどの変更をすることは非常に手間が掛かる。
【０００７】
本発明は、上述の事情に鑑みてなされたもので、駆動制御機構部への通電の有無が切り替えられてからシャッタ幕が走行を開始するまでの時間遅れを簡易な構成で容易に調整することが可能なカメラ用フォーカルプレーンシャッタなどを提供することを目的とする。
【課題を解決するための手段】
【０００８】
上記目的を達成するため、本発明の第１の観点に係るカメラ用フォーカルプレーンシャッタは、
通電の有無に応じて、シャッタ幕を走行させるか否かを切り替える駆動制御機構部と、
基板と、
前記基板上の２点間を異なる抵抗値で並列に接続する高抵抗配線及び低抵抗配線の組を１つ以上含み、前記駆動制御機構部に電気的に接続される配線とを備える。
【０００９】
本発明の第２の観点に係るカメラ用フォーカルプレーンシャッタは、
通電の有無に応じて、シャッタ幕を走行させるか否かを切り替える駆動制御機構部と、
基板と、
前記基板上の２点の間を接続する高抵抗配線と、離間した部分を含んで前記基板上の２点の各々に接続する低抵抗配線との組を１つ以上含み、前記駆動制御機構部に電気的に接続される配線とを備え、
前記離間した部分が電気的に接続された場合に、当該電気的に接続された低抵抗配線の抵抗値が、当該電気的に接続された低抵抗配線と同じ組に含まれる前記高抵抗配線の抵抗値よりも小さい。
【発明の効果】
【００１０】
本発明によれば、配線が、基板上の２点間を異なる抵抗値で並列に接続する高抵抗配線及び低抵抗配線の組を１つ以上含む。この場合、低抵抗配線の一部を切除するだけで、配線全体の抵抗の大きさが変わる。そのため、低抵抗配線の一部を切除するだけで、通電したときに駆動制御機構部に流れる電流の大きさを変更することができる。
【００１１】
また、基板上の２点の間を接続する高抵抗配線と、離間した部分を含んで前記基板上の２点の各々に接続する低抵抗配線との組を１つ以上含む。この場合、離間した部分を接続するだけで、配線全体の抵抗の大きさが変わる。そのため、離間した部分を接続するだけで、通電したときに駆動制御機構部に流れる電流の大きさを変更することができる。
【００１２】
従って、駆動制御機構部への通電の有無が切り替えられてからシャッタ幕が走行を開始するまでの時間遅れを簡易な構成で容易に調整することが可能になる。
【図面の簡単な説明】
【００１３】
【図１】本発明の実施の形態１に係るカメラの要部構成を示す図である。
【図２】実施の形態１に係るカメラ用フォーカルプレーンシャッタの機能的な構成を示すブロック図である。
【図３】実施の形態１に係るカメラ用フォーカルプレーンシャッタの正面図である。
【図４】実施の形態１に係るカメラ用フォーカルプレーンシャッタの正面図であって、図３に隠れ線を追加した図である。
【図５】実施の形態１に係るカメラ用フォーカルプレーンシャッタの分解斜視図である。
【図６】実施の形態１に係るカメラ用フォーカルプレーンシャッタにて、第１の配線の抵抗値を調整した状態の一例を示す図である。
【図７】本発明の実施の形態２に係るカメラ用フォーカルプレーンシャッタの正面図である。
【図８】実施の形態２に係るカメラ用フォーカルプレーンシャッタにて、第１の配線の抵抗値を調整した状態の一例を示す図である。
【発明を実施するための形態】
【００１４】
以下、本発明の一実施の形態について、図面を参照しつつ説明する。全図を通じて同一の要素には同一の符号を付す。また、正面、背面、前後、上下、左右など方向を示す用語は、説明のために用いるのであって、本願の発明を限定する趣旨ではない。
【００１５】
実施の形態１．
本発明の実施の形態１に係るカメラ１００は、被写体を撮影するための装置であって、図１に要部構成を示すように、被写体の像を結像するためのレンズ１０１と、露出を調整する絞り羽根１０２及びカメラ用フォーカルプレーンシャッタ（以下、単に「シャッタ」ともいう。）１０３と、撮影された画像に応じた電気信号を出力する固体撮像素子１０４と、固体撮像素子１０４から出力される電気信号に基づいて、撮影された画像を示す画像データを生成する画像処理回路１０５と、カメラ１００の全体を制御する制御部１０６とを備える。
【００１６】
画像処理回路１０５によって生成された画像データは、例えば、制御部１０６の制御の下で、ＤＲＡＭなどのメモリー（図示せず）に記憶される。
【００１７】
なお、固体撮像素子１０４は、物理的には例えば、ＣＣＤ（Charge Coupled Device）イメージセンサ、ＣＭＯＳ（Complementary MOS）イメージセンサなどから構成される。制御部１０６は、物理的には例えば、１つ又は複数のプロセッサ、電気回路、ＲＡＭ（Random Access Memory）、ＲＯＭ（Read Only Memory）などから構成される。
【００１８】
シャッタ１０３は、図２のブロック図と、図３及び図４の正面図と、図５の分解斜視図とに示すように、地板１０７と、撮影時に走行することで固体撮像素子１０４を露光させる先幕１０８及び後幕１０９と、先幕１０８及び後幕１０９のそれぞれを走行させるための先幕用駆動機構部１１０及び後幕用駆動機構部１１１と、先幕１０８を撮影前の状態であるセット状態で保持するための先幕用駆動制御機構部１１２と、後幕１０９を撮影前の状態であるセット状態で保持するための後幕用駆動制御機構部１１３と、レリーズボタンの押下に応じて先幕用レリーズ信号及び後幕用レリーズ信号のそれぞれを先幕用駆動制御機構部１１２及び後幕用駆動制御機構部１１３へ供給するための回路ＣＲ＿１を含む回路基板１１４と、を備える。ここで、図４は、図３における隠れ線を点線で付加した図である。
【００１９】
ここで、先幕用レリーズ信号及び後幕用レリーズ信号は、それぞれ、レリーズボタンの押下に応じて回路ＣＲ＿１を介して先幕用駆動制御機構部１１２及び後幕用駆動制御機構部１１３へ入力する信号であって、予め定められた電圧の信号である。レリーズ信号は、例えば、例えばカメラ１００に搭載される電池などの電源（図示せず）から、電気回路、制御部１０６などを適宜介して、回路基板１１４の回路ＣＲ＿１に入力する。
【００２０】
地板１０７は、例えば図３に示すように、正面から見て、略矩形の開口１１５を有する板状の部材であって、例えば合成樹脂などで作られる。シャッタ１０３を構成する各部材は、地板１０７に対して取り付けられる。
【００２１】
先幕１０８は、図３及び図４に示すように、２つの先幕用アームと、それらの長さ方向に順に枢支された４枚の先幕用羽根とを有する。２つの先幕用アームは、４枚の先幕用羽根よりも撮像素子側（背面側）に配置されており、それぞれの端部近傍が軸部材により地板１０７に対して回転可能に取り付けられている。
【００２２】
後幕１０９は、図３及び図４に示すように、先幕１０８と概ね同様に構成される。すなわち、後幕１０９は、２つの後幕用アームと、それらの長さ方向に順に枢支された４枚の後幕用羽根とを有する。２つの後幕用アームは、４枚の後幕用羽根よりも撮像素子側（背面側）に配置されており、それぞれの端部近傍が軸部材により地板１０７に対して回転可能に取り付けられている。
【００２３】
例えば、セット状態では、図３及び図４に示すように、先幕１０８は、開口１１５を塞ぐように展開した状態で保持され、後幕１０９は、開口１１５の上方にて畳まれた状態で保持される。撮影後には、先幕１０８は、開口１１５の下方にて畳まれた状態となり、後幕１０９は、開口１１５を塞ぐように展開した状態となる。
【００２４】
先幕用羽根の各々を先幕用アームの各々に枢支するための枢支機構は、概ね同様に構成されてよく、例えば次のように構成される。枢支機構は、先幕用アームに形成された孔と先幕用羽根に形成された孔に順に挿入した後、かしめ加工によって先端が先幕用羽根に固定されたリベット部材を連結軸として構成される。これにより、先幕用アームと連結軸とは相互に回転可能に構成される。後幕用羽根の各々を後幕用アームの各々に枢支するための枢支機構も、先幕用羽根の各々を先幕用アームの各々に枢支するための枢支機構と概ね同様に構成されるとよい。
【００２５】
なお、先幕１０８及び後幕１０９は、撮影時に走行することによって、地板１０７に設けられた開口１１５を開閉して固体撮像素子１０４を露光させるように構成されていればよく、それぞれを構成する羽根の枚数、アームの数、羽根をアームに枢支するための枢支機構などは適宜変更されてもよい。
【００２６】
先幕用駆動機構部１１０は、駆動力を提供する先幕用の付勢手段としての先幕用バネ１１６と、先幕用バネ１１６が提供する駆動力を先幕１０８に伝達する先幕用駆動レバー１１７とを有する。
【００２７】
先幕用バネ１１６は、例えば、先幕用駆動レバー１１７に固定された軸部材を回転させるように付勢する。本実施の形態では、図４において、先幕用駆動レバー１１７を左回りに回転させるように付勢する。
【００２８】
先幕用駆動レバー１１７には、先幕用アームに回転可能に挿設された駆動ピンが固定されている。駆動ピンは、先幕用バネ１１６の付勢力によって、地板１０７に形成された円弧状の先幕用長孔１１８に沿って移動する。撮影時には、先幕用バネ１１６の付勢力による駆動ピンの移動に伴って、先幕１０８は、図４において下方へ走行し、開口１１５を塞ぐように展開した状態（セット状態）から開口１１５の下方にて畳まれた状態（撮影後の状態）へ変化する。
【００２９】
後幕用駆動機構部１１１は、先幕用駆動機構部１１０と概ね同様に構成される。すなわち、後幕用駆動機構部１１１は、駆動力を提供する後幕用の付勢手段としての後幕用バネ１１９と、後幕用バネ１１９が提供する駆動力を後幕１０９に伝達する後幕用駆動レバー１２０とを有する。
【００３０】
後幕用バネ１１９は、例えば、後幕用駆動レバー１２０に固定された軸部材を回転させるように付勢する。本実施の形態では、図４において、後幕用駆動レバー１２０を左回りに回転させるように付勢する。
【００３１】
後幕用駆動レバー１２０には、後幕用アームに回転可能に挿設された駆動ピンが固定されている。駆動ピンは、後幕用バネ１１９の付勢力によって、地板１０７に形成された円弧状の後幕用長孔１２１に沿って移動する。撮影時には、後幕用バネ１１９の付勢力による駆動ピンの移動に伴って、後幕１０９は、図４において下方へ走行し、開口１１５の上方にて畳まれた状態（セット状態）から開口１１５を塞ぐように展開した状態（撮影後の状態）へ変化する。
【００３２】
先幕用駆動制御機構部１１２は、通電の有無に応じて、先幕１０８を走行させるか否かを切り替える機構であって、詳細には、通電の有無に応じて、セット状態にて先幕１０８を保持することと、その保持を解いて先幕１０８を走行させることとを切り替える。
【００３３】
先幕用駆動制御機構部１１２は、例えば、先幕用駆動レバー１１７に固定される先幕用鉄片１２２と、先幕用鉄片１２２をセット状態にて吸着保持する電磁石１２３とを有する。電磁石１２３は、例えば鉄心とこの鉄心の周囲に巻かれたコイルとを有する。電磁石１２３では、コイルに通電している間、磁力が鉄心に生じる。また、電磁石１２３では、コイルに通電がない間、すなわち、先幕用駆動制御機構部１１２が無通電である間、鉄心はほぼ無磁力である。先幕用鉄片１２２は、先幕１０８がセット状態である場合に、電磁石１２３が有する鉄心の近傍に位置するように、例えば電磁石１２３が有する鉄心と当接するように配置される。
【００３４】
先幕用駆動制御機構部１１２では、セット状態においてコイルに通電すると、先幕用鉄片１２２は、通電中に電磁石１２３に生じる磁力によって電磁石１２３に吸着保持される。すなわち、コイルに通電している間、電磁石１２３は、先幕用バネ１１６の付勢力によって先幕用鉄片１２２に加えられる力よりも大きい力で、先幕用鉄片１２２を吸着することができる。これにより、先幕用駆動制御機構部１１２に通電している間は、先幕１０８がセット状態で保持される。また、先幕用駆動制御機構部１１２を無通電とすることによって、電磁石１２３に生じる磁力がほぼなくなるので、先幕用鉄片１２２の吸着保持が解かれる。その結果、先幕１０８のセット状態での保持が解かれ、先幕１０８は、先幕用バネ１１６の付勢力によって、図３及び図４の下方へ走行する。このように、先幕用駆動制御機構部１１２は、電磁石１２３が有するコイルへの通電の有無に応じて発生又は消滅する磁力によって、先幕用駆動レバー１１７に固定された先幕用鉄片１２２を吸着保持するか否か、すなわち、先幕１０８を走行させるか否かを切り替える。
【００３５】
後幕用駆動制御機構部１１３は、通電の有無に応じて、後幕１０９を走行させるか否かを切り替える機構であって、詳細には、通電の有無に応じて、セット状態にて後幕１０９を保持することと、その保持を解いて後幕１０９を走行させることとを切り替える。
【００３６】
後幕用駆動制御機構部１１３は、例えば、後幕用駆動レバー１２０に固定される後幕用鉄片１２４と、後幕用鉄片１２４をセット状態にて吸着保持するソレノイド１２５とを有する。ソレノイド１２５は、例えば自己保持型ソレノイドであって、永久磁石と、鉄心と、この鉄心の周囲に巻かれたコイルとを有する。ソレノイド１２５では、コイルに通電することによって、永久磁石の磁力を打ち消す磁力が鉄心に生じるので、ソレノイド１２５の全体での磁力は、ほぼなくなる。また、ソレノイド１２５では、コイルに通電がない間、すなわち、後幕用駆動制御機構部１１３が無通電である間、鉄心はほぼ無磁力であるので、ソレノイド１２５の全体では、永久磁石による磁力を有する。後幕用鉄片１２４は、後幕１０９がセット状態である場合に、ソレノイド１２５が有する永久磁石の近傍に位置するように、例えばソレノイド１２５が有する永久磁石と当接するように配置される。
【００３７】
後幕用駆動制御機構部１１３では、セット状態においてコイルに通電しないことで、後幕用鉄片１２４は、永久磁石の磁力によってソレノイド１２５に吸着保持される。すなわち、コイルに通電していない間、ソレノイド１２５は、後幕用バネ１１９の付勢力によって後幕用鉄片１２４に加えられる力よりも大きい力で、後幕用鉄片１２４を吸着することができる。これにより、後幕用駆動制御機構部１１３が無通電である間は、後幕１０９がセット状態で保持される。また、後幕用駆動制御機構部１１３のコイルに通電することによって、後幕用駆動制御機構部１１３の全体的な磁力がほぼなくなるので、後幕用鉄片１２４の吸着保持が解かれる。その結果、後幕１０９のセット状態での保持が解かれ、後幕１０９は、後幕用バネ１１９の付勢力によって、図３及び図４の下方へ走行する。このように、後幕用駆動制御機構部１１３は、ソレノイド１２５が有するコイルへの通電の有無に応じて発生又は消滅する磁力によって、後幕用駆動レバー１２０に固定された後幕用鉄片１２４を吸着保持するか否か、すなわち、後幕１０９を走行させるか否かを切り替える。
【００３８】
回路基板１１４は、例えば図３に示すように、基板１２６と、電源から提供される電力を先幕用駆動制御機構部１１２及び後幕用駆動制御機構部１１３へ供給するための回路ＣＲ＿１と、４箇所の各々で必要に応じて回路ＣＲ＿１を切断するために基板１２６に設けられた４対の穴１２７〜１３０とを有する。
【００３９】
基板１２６は、例えば合成樹脂などで作られる。基板１２６は、例えば、フレキシブル基板と、フレキシブル基板よりも硬い基板とで構成されてもよい。この場合、硬い基板は、基板１２６のうち、地板１０７の前方に配置される部分を構成するように、フレキシブル基板の背面に接着剤などで張り合わされるとよい。
【００４０】
回路ＣＲ＿１は、基板１２６に設けられる２つの後幕用端子１３１，１３２及び２つの先幕用端子１３３，１３４と、基板１２６に設けられる第１〜第４の配線１３５〜１３８によって形成される。端子１３１〜１３４の材料は、例えば、金属などである。第１〜第４の配線１３５〜１３８は、銅などの金属箔、銀などの金属を含む導電性のインクなどによって基板上に設けられる。
【００４１】
詳細には、２つの後幕用端子１３１，１３２は、それぞれ、後幕用駆動制御機構部１１３の２つの端子１３９，１４０に接続される。これにより、２つの後幕用端子１３１，１３２は、後幕用駆動制御機構部１１３に含まれるソレノイド１２５のコイルに、電気的に接続される。
【００４２】
２つの先幕用端子１３３，１３４は、それぞれ、先幕用駆動制御機構部１１２の２つの端子１４１，１４２に接続される。これにより、２つの先幕用端子１３３，１３４は、先幕用駆動制御機構部１１２に含まれる電磁石１２３のコイルに、電気的に接続される。
【００４３】
第１の配線１３５は、一端が後幕用端子の一方１３１に接続する。第２の配線１３６は、一端が後幕用端子の他方１３２に接続する。第１の配線１３５の他端及び第２の配線１３６の他端は、図３に示すように開放しており、例えばカメラに組み込まれるときに、一方の配線の他端が基準電圧に接続され、他方の配線の他端が後幕用のレリーズ信号を入力するための配線に接続される。
【００４４】
ここで、第１の配線１３５の構成について、より詳細に説明する。第１の配線１３５は、例えば図３に示すように、第１〜第５の分岐点１４３〜１４７を含み、隣接する２つの分岐点の間を異なる抵抗値で並列に接続する配線１４８ａ〜１５１ａ，１４８ｂ〜１５１ｂの組を含む。
【００４５】
すなわち、第１の低抵抗配線１４８ａと第１の高抵抗配線１４８ｂとの組は、第１の分岐点１４３と第２の分岐点１４４との間を並列に接続する。第２の低抵抗配線１４９ａと第２の高抵抗配線１４９ｂとの組は、第２の分岐点１４４と第３の分岐点１４５との間を並列に接続する。第３の低抵抗配線１５０ａと第３の高抵抗配線１５０ｂとの組は、第３の分岐点１４５と第４の分岐点１４６との間を並列に接続する。第４の低抵抗配線１５１ａと第４の高抵抗配線１５１ｂとの組は、第４の分岐点１４６と第５の分岐点１４７との間を並列に接続する。
【００４６】
このような配線１４８ａ〜１５１ａ，１４８ｂ〜１５１ｂの各組において、高抵抗配線１４８ｂ〜１５１ｂは、同じ組に含まれる（すなわち、共通の分岐点間を接続する）低抵抗配線１４８ａ〜１５１ａよりも長い。そのため、高抵抗配線１４８ｂ〜１５１ｂの抵抗値は、同じ組に含まれる低抵抗配線１４８ａ〜１５１ａの抵抗値よりも大きい。
【００４７】
なお、本実施の形態では、高抵抗配線１４８ｂ〜１５１ｂの長さを、それぞれ、低抵抗配線１４８ａ〜１５１ａの長さよりも長くすることによって、同じ組に含まれる高抵抗配線１４８ｂ〜１５１ｂと低抵抗配線１４８ａ〜１５１ａとの抵抗値を異なるものとする例を説明した。しかし、高抵抗配線１４８ｂ〜１５１ｂは、それぞれ、低抵抗配線１４８ａ〜１５１ａよりも、抵抗値が大きければよい。例えば、高抵抗配線１４８ｂ〜１５１ｂの１つ又は複数にカーボン抵抗などの抵抗体を設けることによって、高抵抗配線１４８ｂ〜１５１ｂの抵抗値を、それぞれ、低抵抗配線１４８ａ〜１５１ａの抵抗値よりも大きくしてもよい。
【００４８】
本実施の形態に係る第１の配線１３５は、基板上の２点間を異なる抵抗値で並列に接続する高抵抗配線及び低抵抗配線の組を１つ以上含み、駆動制御機構部に電気的に接続される配線の一例である。
【００４９】
次に、例えば図３に示すように、第３の配線１３７は、一端が先幕用端子の一方１３３に接続する。第４の配線１３８は、一端が先幕用端子の他方１３４に接続する。第３の配線１３７の他端及び第４の配線１３８の他端は、図３に示すように開放しており、例えばカメラに組み込まれるときに、一方の配線の他端が基準電圧に接続され、他方の配線の他端が先幕用のレリーズ信号を入力するための配線に接続される。
【００５０】
穴１２７〜１３０の各対は、上述のように第１〜第５の分岐点１４３〜１４７のうちの２点間を異なる抵抗値で並列に接続する配線１４８ａ〜１５１ａ，１４８ｂ〜１５１ｂの組のうち、抵抗値が小さい配線である低抵抗配線１４８ａ〜１５１ａの両脇に設けられる。
【００５１】
このような穴を設けることによって、治具、カッターナイフなどを用いて、基板１２６のうち、穴１２７〜１３０の対に挟まれた部分を容易に切除することができる。そのため、必要に応じて、低抵抗配線１４８ａ〜１５１ａの一部又は全部を容易に電気的に切断することができる。
【００５２】
なお、基板１２６が、回路ＣＲ＿１が設けられるフレキシブル基板と、その背面に取り付けられた硬い基板とで構成される場合、穴１２７〜１３０は、フレキシブル基板のみに設けられてもよい。これによっても、フレキシブル基板のうち、穴１２７〜１３０の対に挟まれた部分をカッターナイフなどで容易に切除することができる。そのため、必要に応じて、低抵抗配線１４８ａ〜１５１ａの一部又は全部を容易に電気的に切断することができる。
【００５３】
これまで、本発明の実施の形態１に係るカメラ１００及びシャッタ１０３の構成について説明した。ここから、本実施の形態に係るカメラ１００及びシャッタ１０３の動作の一例を説明する。
【００５４】
まず、シャッタ１０３の先幕１０８の動作について説明する。
【００５５】
例えばセット部材が、地板１０７の開口１１５を塞ぐように先幕１０８を展開して、先幕用駆動レバー１１７の先幕用鉄片１２２を先幕用駆動制御機構部１１２の電磁石１２３に当接させる。そして、その状態で、例えば、先幕用端子の一方１３３に予め定められた電圧が印加された後に、セット部材が初期位置に復帰する。先幕用端子の一方１３３に電圧が印加されることにより、先幕用端子の一方１３３と、第３の配線１３７と、第４の配線１３８と、先幕用端子の他方１３４とを通じて、電流が、先幕用駆動制御機構部１１２の電磁石１２３が有するコイルに流れる。その結果、電磁石１２３の磁力によって先幕１０８がセット状態で保持される。
【００５６】
先幕用端子の一方１３３に先幕用のレリーズ信号が回路ＣＲ＿１に入力される。先幕用レリーズ信号は、電磁石１２３が有するコイルに通電させない信号であり、例えば０ボルトである。これにより、先幕１０８のセット状態での保持が解かれ、先幕１０８は、先幕用バネ１１６の付勢力によって、図３の下方へ走行する。先幕１０８は、地板１０７の開口１１５の下方にて畳まれた状態となると、走行を完了する。
【００５７】
次に、シャッタ１０３の後幕１０９の動作について説明する。
【００５８】
例えばセット部材が、後幕１０９を地板１０７の開口１１５の下方にて畳んで、後幕用駆動レバー１２０の後幕用鉄片１２４を後幕用駆動制御機構部１１３のソレノイド１２５に当接させる。このとき、後幕用端子１３１，１３２は、印加されない。これにより、後幕用駆動制御機構部１１３のソレノイド１２５が有する永久磁石の磁力によって、後幕１０９がセット状態で保持される。
【００５９】
例えば後幕用端子の一方１３１に後幕用のレリーズ信号が回路ＣＲ＿１に入力される。後幕用レリーズ信号は、後幕用駆動制御機構部１１３のソレノイド１２５が有するコイルに通電させる信号であり、例えばソレノイド１２５が有する永久磁石の磁力を打ち消すことができるだけの大きい電圧である。後幕用端子の一方１３１と、第１の配線１３５と、第２の配線１３６と、後幕用端子の他方１３２とを通じて、電流が、後幕用駆動制御機構部１１３のソレノイド１２５が有するコイルに流れる。その結果、後幕１０９のセット状態での保持が解かれ、後幕１０９は、後幕用バネ１１９の付勢力によって、図３の下方へ走行する。後幕１０９は、地板１０７の開口１１５を塞ぐように展開した状態となると、走行を完了する。
【００６０】
ここで、一般的に、先幕用レリーズ信号が回路ＣＲ＿１に入力してから（すなわち、先幕用駆動制御機構部１１２への通電の有無が、有から無に切り替えられてから）先幕１０８が走行を開始するまでには時間的な遅れ（時間遅れ）がある。また、後幕１０９についても同様に、後幕用レリーズ信号が回路ＣＲ＿１に入力してから（すなわち、後幕用駆動制御機構部１１３への通電の有無が無から有に切り替えられてから）後幕１０９が走行を開始するまでには時間的な遅れ（時間遅れ）がある。このような先幕１０８が走行を開始するまでの時間遅れと、後幕１０９が走行を開始するまでの時間遅れとは、電磁石１２３及びソレノイド１２５の製造上の個体差などによって、シャッタ１０３の各々で異なる。
【００６１】
そこで、先幕１０８の顔出し時間に相当する時間として、例えば、先幕用のレリーズ信号が回路ＣＲ＿１に入力されてから、先幕１０８の上端が地板１０７の開口１１５の上端に到達するまでの時間を計測する。ここで、先幕１０８の顔出し時間とは、先幕用のレリーズ信号が回路ＣＲ＿１に入力されてから、先幕１０８の上端が、正面から見て固体撮像素子１０４の上端に到達するまでの時間である。
【００６２】
次に、後幕１０９の顔出し時間に相当する時間として、例えば、後幕用のレリーズ信号が回路ＣＲ＿１に入力されてから、後幕１０９の下端が地板１０７の開口１１５の上端に到達するまでの時間を計測する。ここで、後幕１０９の顔出し時間とは、後幕用のレリーズ信号が回路ＣＲ＿１に入力されてから、後幕１０９の下端が、正面から見て固体撮像素子１０４の上端に到達するまでの時間である。
【００６３】
後幕１０９の顔出し時間に相当する時間が、先幕１０８の顔出し時間に相当する時間よりも早い場合、例えば、ユーザが低抵抗配線１４８ａ〜１５１ａのうち、穴１２７〜１３０の各対で挟まれた部分を１つずつ切除する。
【００６４】
例えば、低抵抗配線１４８ａ〜１５１ａのいずれをも切除していない状態（図３に示す状態）では、レリーズ信号による電流は、第１の配線１３５のうち、高抵抗配線１４８ｂ〜１５１ｂのいずれも流れず、低抵抗配線１４８ａ〜１５１ａを流れる。
【００６５】
例えば、第１の低抵抗配線１４８ａの一部のみを切除した状態では、レリーズ信号による電流は、第１の配線１３５のうち、第１の高抵抗配線１４８ｂと、第２〜第４の低抵抗配線１４９ａ〜１５１ａとを流れる。
【００６６】
例えば、図６の正面図に示すように、第１〜第２の低抵抗配線１４８ａ〜１４９ａの一部を切除した状態では、レリーズ信号による電流は、第１の配線１３５のうち、第１〜第２の高抵抗配線１４８ｂ〜１４９ｂと、第３〜第４の低抵抗配線１５０ａ〜１５１ａとを流れる。
【００６７】
例えば、第１〜第３の低抵抗配線１４８ａ〜１５０ａの一部を切除した状態では、レリーズ信号による電流は、第１の配線１３５のうち、第１〜第３の高抵抗配線１４８ｂ〜１５０ｂと、第４の低抵抗配線１５１ａとを流れる。
【００６８】
例えば、第１〜第４の低抵抗配線１４８ａ〜１５１ａのすべてで一部を切除した状態では、レリーズ信号による電流は、第１の配線１３５のうち、第１〜第４の高抵抗配線１４８ｂ〜１５１ｂを流れる。
【００６９】
このように、低抵抗配線１４８ａ〜１５１ａのうち、穴１２７〜１３０の各対で挟まれた部分を何カ所切除するかによって、第１の配線１３５の全体の抵抗値を５段階で変更することができる。レリーズ信号は、予め定められた一定の電圧であるので、第１の配線１３５の全体の抵抗値が大きい程、後幕用駆動制御機構部１１３のソレノイド１２５が有するコイルに流れる電流は小さくなる。後幕用駆動制御機構部１１３のソレノイド１２５が有するコイルに流れる電流は小さい程、レリーズ信号に応じた電流がコイルに流れてから、ソレノイド１２５が有する永久磁石の磁力を打ち消すだけの磁力が鉄心に生じるまでの時間が長くなる。
【００７０】
そのため、ユーザが、低抵抗配線１４８ａ〜１５１ａのうち、穴１２７〜１３０の各対で挟まれた部分を１つずつ切除するだけで、後幕用レリーズ信号が回路ＣＲ＿１に入力してから後幕１０９が走行を開始するまでの時間遅れを段階的に長くすることができる。後幕用レリーズ信号が回路ＣＲ＿１に入力する時と、後幕用駆動制御機構部１１３への通電の有無が切り替えられる時とは、概ね同じである。
【００７１】
従って、本実施の形態に係るシャッタ１０３によれば、後幕用駆動制御機構部１１３への通電の有無が、無から有に切り替えられてからシャッタ幕としての後幕１０９が走行を開始するまでの時間遅れを簡易な構成で容易に調整することが可能になる。
【００７２】
例えば、図３に示す状態で、後幕１０９の顔出し時間に相当する時間が、先幕１０８の顔出し時間に相当する時間よりも早いとする。この場合、後幕１０９と先幕１０８との顔出し時間に相当する時間が概ね等しくなるまで、低抵抗配線１４８ａ〜１５１ａのうち、穴１２７〜１３０の各対で挟まれた部分を１つずつ切除していくとよい。このような簡易な加工をするだけで、後幕１０９と先幕１０８との顔出し時間に相当する時間を概ね揃えることができる。
【００７３】
さらに、カメラ１００の動作について説明する。
【００７４】
カメラ１００に電源が投入され、ユーザがレリーズボタンに接触したときなど、撮影前の予め定められたタイミングで、制御部１０６の制御の下で、例えば図示しないモータなどの駆動力によって、先幕用バネ１１６と後幕用バネ１１９とは、各々の付勢力に抗して巻き上げられる。
【００７５】
このとき、制御部１０６は、先幕用駆動制御機構部１１２と後幕用駆動制御機構部１１３とが無通電となるように制御し、先幕１０８及び後幕１０９は、セット部材によって機械的にセット状態で保持される。
【００７６】
ユーザがレリーズボタンを押下すると、制御部１０６は、その押下を検出する。そして、制御部１０６は、先幕用駆動制御機構部１１２に通電して、セット部材を初期位置に復帰させる。このとき、セット部材による機械的な保持は解かれるが、先幕１０８は、電磁石１２３の磁力によってセット状態で保持され、後幕１０９は、ソレノイド１２５が有する永久磁石の磁力によってセット状態で保持される。そして、制御部１０６は、ユーザ又は自身が設定したシャッタ秒時に応じた時間間隔を空けて、先幕用レリーズ信号と後幕用レリーズ信号とのそれぞれを、回路ＣＲ＿１へ入力させる。先幕用レリーズ信号と後幕用レリーズ信号とは、それぞれ、先幕用駆動制御機構部１１２と後幕用駆動制御機構部１１３とへ回路ＣＲ＿１を通じて入力する。すなわち、制御部１０６は、第１の配線１３５及び第２の配線１３６を介して、後幕用駆動制御機構部１１３に通電させるか否かを制御する。また、制御部１０６は、第３の配線１３７及び第４の配線１３８を介して、先幕用駆動制御機構部１１２に通電させるか否かを制御する。
【００７７】
これにより、シャッタ秒時に応じた時間間隔を空けて、先幕１０８及び後幕１０９のセット状態での保持が解かれる。先幕１０８と後幕１０９とは、シャッタ秒時に応じた間隔を空けて、それぞれ先幕用バネ１１６と後幕用バネ１１９との付勢力によって、固体撮像素子１０４の前方を走行する。
【００７８】
先幕１０８が、地板１０７の開口１１５の下方にて畳まれた状態となり、後幕１０９が、地板１０７の開口１１５を塞いだ状態となって、先幕１０８と後幕１０９との走行が完了すると、撮影が終了する。
【００７９】
このように、撮影時に、先幕１０８と後幕１０９とを走行させることで固体撮像素子１０４を露光させる場合、仮に先幕１０８と後幕１０９との顔出し時間が異なると、正確なシャッタ秒時を実現するために、先幕用レリーズ信号と後幕用レリーズ信号とのそれぞれを入力するタイミングをシャッタ１０３ごとに調整するなど、シャッタ１０３ごとの調整が必要になる。また、そのための制御プログラムなど追加的な構成が必要になる。
【００８０】
本実施の形態に係るシャッタ１０３によれば、上述のように、先幕１０８と後幕１０９との顔出し時間を簡易な構成で容易に揃えることができる。その結果、カメラ１００の正確なシャッタ秒時を簡易な構成で容易に実現することが可能になる。
【００８１】
なお、実施の形態１では、第１の配線１３５が、基板上の２点（第１〜第５の分岐点１４３〜１４７）間を異なる抵抗値で並列に接続する配線を４組含む例により説明した。しかし、第１の配線は、基板上の２点間を異なる抵抗値で並列に接続する配線の組を１つ以上含めばよい。これによっても、実施の形態１と同様の効果を奏する。
【００８２】
なお、実施の形態１は、先幕１０８と後幕１０９とを備えるシャッタ１０３を例に説明した。しかし、単幕式のシャッタであってもよい。通電の有無に応じて、シャッタ幕を走行させるか否かを切り替える駆動制御機構部への通電を、基板上の２点間を異なる抵抗値で並列に接続する配線の組を１つ以上含む第１の配線を通じて切り替えられるように構成されていればよい。
【００８３】
これによれば、実施の形態１における後幕１０９の場合と同様に、駆動制御機構部への通電の有無が切り替えられてからシャッタ幕が走行を開始するまでの時間遅れを簡易な構成で容易に調整することが可能になる。
【００８４】
このような単幕式のシャッタでは、顔出し時間を適宜定められる基準値に簡易な構成で容易に近づけることができるので、このような単幕式のシャッタを備えるカメラでは、レリーズタイムラグのばらつきを簡易な構成で容易に低減することが可能になる。ここで、レリーズタイムラグとは、レリーズから撮影が終了するまでの時間である。
【００８５】
なお、実施の形態１では、自己保持型ソレノイド１２５を含む後幕用駆動制御機構部１１３へ通電するための第１の配線１３５の抵抗値を簡易な構成で容易に変更可能にする例により説明した。しかし、電磁石１２３を含む駆動制御機構部（例えば、先幕用駆動制御機構部１１２）へ通電するための配線（第３の配線１３７又は第４の配線１３８）に、第１の配線１３５と同様の構成を備える配線が適用されてもよい。
【００８６】
一般的に、電磁石１２３であっても、通電してからシャッタ幕（例えば、先幕１０８）が走行を開始するまでの時間遅れは、自己保持型ソレノイドよりも短くなるものの、ゼロではない。そのため、この変形例によっても、駆動制御機構部への通電の有無が切り替えられてからシャッタ幕が走行を開始するまでの時間遅れを簡易な構成で容易に調整することが可能になる。
【００８７】
実施の形態２．
実施の形態１では、低抵抗配線１４８ａ〜１５１ａのうち、穴１２７〜１３０の各対で挟まれた部分を切除することによって、後幕用駆動制御機構部１１３への通電の有無が切り替えられてから後幕１０９が走行を開始するまでの時間遅れを調整する例を説明した。本実施の形態では、実施の形態１において穴１２７〜１３０の各対で挟まれた低抵抗配線１４８ａ〜１５１ａの各部分に相当する箇所が、予め離間して設けられた例を説明する。
【００８８】
本実施の形態に係るシャッタ２０３は、図７に示すように、回路基板２１４において、基板２２６に設けられる回路ＣＲ＿２の構成と、基板２２６に穴１２７〜１３０が設けられないこととを除いて、実施の形態１に係るシャッタ１０３と同様に構成されてよい。また、本実施の形態に係る回路ＣＲ＿２は、実施の形態１に係る第１の配線１３５の構成を除いて、実施の形態１に係る回路ＣＲ＿１と同様に構成されてよい。
【００８９】
本実施の形態に係る第１の配線２３５は、図７に示すように、第１〜第５の分岐点１４３〜１４７を含み、離間した部分を含んで、隣接する２つの分岐点の各々に接続する低抵抗配線２４８ａ〜２５１ａと、隣接する２つの分岐点の間を接続する高抵抗配線１４８ｂ〜１５１ｂとの組を含む。例えばハンダ付けなどによって低抵抗配線２４８ａ〜２５１ａの離間した部分が電気的に接続された場合、電気的に接続された低抵抗配線２４８ａ〜２５１ａの抵抗値は、この電気的に接続された低抵抗配線２４８ａ〜２５１ａと同じ組に含まれる高抵抗配線１４８ｂ〜１５１ｂの抵抗値よりも小さい。
【００９０】
詳細には、第１の低抵抗配線２４８ａと第１の高抵抗配線１４８ｂとの組では、第１の低抵抗配線２４８ａは、一部が離間して、第１の分岐点１４３と第２の分岐点１４４とに接続し、第１の高抵抗配線１４８ｂは、第１の分岐点１４３と第２の分岐点１４４との間を接続する。
【００９１】
第２の低抵抗配線２４９ａと第２の高抵抗配線１４９ｂとの組では、第２の低抵抗配線２４９ａは、一部が離間して、第２の分岐点１４４と第３の分岐点１４５とに接続し、第２の高抵抗配線１４９ｂは、第２の分岐点１４４と第３の分岐点１４５との間を接続する。
【００９２】
第３の低抵抗配線２５０ａと第３の高抵抗配線１５０ｂとの組では、第３の低抵抗配線２５０ａは、一部が離間して、第３の分岐点１４５と第４の分岐点１４６とに接続し、第３の高抵抗配線１５０ｂは、第３の分岐点１４５と第４の分岐点１４６との間を接続する。
【００９３】
第４の低抵抗配線２５１ａと第４の高抵抗配線１５１ｂとの組では、第４の低抵抗配線２５１ａは、一部が離間して、第４の分岐点１４６と第５の分岐点１４７とに接続し、第４の高抵抗配線１５１ｂは、第４の分岐点１４６と第５の分岐点１４７との間を接続する。
【００９４】
そして、低抵抗配線２４８ａ〜２５１ａの離間した部分が電気的に接続された場合、電気的に接続された低抵抗配線２４８ａ〜２５１ａの抵抗値は、それぞれ、高抵抗配線１４８ｂ〜１５１ｂの抵抗値よりも小さい。
【００９５】
本実施の形態に係る第１の配線２３５は、基板上の２点の間を接続する高抵抗配線と、離間した部分を含んで基板上の２点の各々に接続する低抵抗配線との組を１つ以上含み、駆動制御機構部に電気的に接続される配線の一例である。
【００９６】
これまで、本発明の実施の形態２に係るシャッタ１０３の構成について説明した。ここから、本実施の形態に係るシャッタ２０３の動作の一例を説明する。
【００９７】
シャッタ２０３の先幕１０８及び後幕１０９の動作は、それぞれ、実施の形態１に係るシャッタ１０３の先幕１０８及び後幕１０９の動作と概ね同様である。
【００９８】
本実施の形態では、後幕１０９の顔出し時間に相当する時間が、先幕１０８の顔出し時間に相当する時間よりも遅い場合、例えば、ユーザが低抵抗配線２４８ａ〜２５１ａの離間した部分を１つずつ、電気的に接続する。
【００９９】
例えば、低抵抗配線２４８ａ〜２５１ａの離間した部分のいずれも電気的に接続していない状態（図７に示す状態）では、レリーズ信号（電流）は、第１の配線１３５のうち、第１〜第４の高抵抗配線１４８ｂ〜１５１ｂを流れる。
【０１００】
例えば、第４の低抵抗配線２５１ａの離間した部分のみを電気的に接続した状態では、レリーズ信号（電流）は、第１の配線１３５のうち、第１〜第３の高抵抗配線１４８ｂ〜１５０ｂと、第４の低抵抗配線２５１ａとを流れる。
【０１０１】
例えば、図８の正面図に示すように、第３〜第４の低抵抗配線２５０ａ〜２５１ａの離間した部分を電気的に接続した状態では、レリーズ信号（電流）は、第１の配線１３５のうち、第１〜第２の高抵抗配線１４８ｂ〜１４９ｂと、第３〜第４の低抵抗配線２５０ａ〜２５１ａとを流れる。
【０１０２】
例えば、第２〜第４の低抵抗配線２４９ａ〜２５１ａの離間した部分を電気的に接続した状態では、レリーズ信号（電流）は、第１の配線１３５のうち、第１の高抵抗配線１４８ｂと、第２〜第４の低抵抗配線２４９ａ〜２５１ａとを流れる。
【０１０３】
例えば、第１〜第４の低抵抗配線２４８ａ〜２５１ａのすべてで離間した部分を電気的に接続した状態では、レリーズ信号（電流）は、第１の配線１３５のうち、高抵抗配線１４８ｂ〜１５１ｂのいずれも流れず、低抵抗配線２４８ａ〜２５１ａを流れる。
【０１０４】
このように、低抵抗配線２４８ａ〜２５１ａのうち、離間した部分を何カ所電気的に接続するかによって、第１の配線２３５の全体の抵抗値を５段階で変更することができる。レリーズ信号は、実施の形態１と同様に、予め定められた一定の電圧であるので、第１の配線２３５の全体の抵抗値が小さい程、後幕用駆動制御機構部１１３のソレノイド１２５が有するコイルに流れる電流は大きくなる。後幕用駆動制御機構部１１３のソレノイド１２５が有するコイルに流れる電流は大きい程、レリーズ信号に応じた電流がコイルに流れてから、ソレノイド１２５が有する永久磁石の磁力を打ち消すだけの磁力が鉄心に生じるまでの時間が短くなる。
【０１０５】
そのため、ユーザが、低抵抗配線２４８ａ〜２５１ａのうち、離間した部分を電気的に接続するだけで、後幕用レリーズ信号が回路ＣＲ＿２に入力してから後幕１０９が走行を開始するまでの時間遅れを段階的に短くすることができる。後幕用レリーズ信号が回路ＣＲ＿２に入力する時と、後幕用駆動制御機構部１１３への通電の有無が切り替えられる時とは、実施の形態１の説明でも述べたように概ね同じである。
【０１０６】
従って、本実施の形態に係るシャッタ２０３によれば、後幕用駆動制御機構部１１３への通電の有無が、無から有に切り替えられてからシャッタ幕としての後幕１０９が走行を開始するまでの時間遅れを簡易な構成で容易に調整することが可能になる。
【０１０７】
例えば、図７に示す状態で、後幕１０９の顔出し時間に相当する時間が、先幕１０８の顔出し時間に相当する時間よりも遅いとする。この場合、後幕１０９と先幕１０８との顔出し時間に相当する時間が概ね等しくなるまで、低抵抗配線２４８ａ〜２５１ａの離間した部分を１つずつ電気的に接続していくとよい。このような簡易な加工をするだけで、後幕１０９と先幕１０８との顔出し時間に相当する時間を概ね揃えることができる。
【０１０８】
このように、本実施の形態に係るシャッタ２０３によれば、先幕１０８と後幕１０９との顔出し時間を簡易な構成で容易に揃えることができる。その結果、カメラ１００のシャッタ１０３に代えてシャッタ２０３を備えるカメラでも、実施の形態１で説明したように、正確なシャッタ秒時を簡易な構成で容易に実現することが可能になる。
【０１０９】
以上、本発明の実施の形態及び変形例を説明したが、本発明はこれらに限定されるものではない。各実施の形態及び各変形例が、適宜組み合わされてもよい。
【０１１０】
実施の形態１及び２を組み合わせる例として、シャッタは、図５に示す回路基板１１４を初期状態とする回路基板を備えてもよい。これによれば、第１及び第２の低抵抗配線１４８ａ〜１４９ａのうち、穴１２７〜１２８の各対で挟まれた部分を１つずつ切除することで、後幕用駆動制御機構部１１３への通電の有無が切り替えられてから後幕１０９が走行を開始するまでの時間遅れを段階的に長くすることができ、第３及び第４の低抵抗配線２５０ａ〜２５１ａの離間した部分を１つずつ電気的に接続することで、その時間遅れを段階的に短くすることができる。そのため、後幕用駆動制御機構部１１３への通電の有無が切り替えられてから後幕１０９が走行を開始するまでの時間遅れを長くする場合と短くする場合とのいずれにも対応することが可能になる。
【０１１１】
そして、本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【０１１２】
１００  カメラ
１０１  レンズ
１０２  絞り羽根
１０３，２０３  カメラ用フォーカルプレーンシャッタ（シャッタ）
１０４  固体撮像素子
１０５  画像処理回路
１０６  制御部
１０７  地板
１０８  先幕
１０９  後幕
１１０  先幕用駆動機構部
１１１  後幕用駆動機構部
１１２  先幕用駆動制御機構部
１１３  後幕用駆動制御機構部
１１４，２１４  回路基板
１１５  開口
１１６  先幕用バネ
１１７  先幕用駆動レバー
１１８  先幕用長孔
１１９  後幕用バネ
１２０  後幕用駆動レバー
１２１  後幕用長孔
１２２  先幕用鉄片
１２３  電磁石
１２４  後幕用鉄片
１２５  ソレノイド
１２６，２２６  基板
ＣＲ  回路
１２７〜１３０  穴
１３１，１３２  後幕用端子
１３３，１３４  先幕用端子
１３５〜１３８，２３５  第１〜第４の配線
１３９，１４０  後幕用駆動制御機構部の端子
１４１，１４２  先幕用駆動制御機構部の端子
１４３〜１４７  第１〜第５の分岐点
１４８ａ〜１５１ａ，２４８ａ〜２５１ａ  低抵抗配線
１４８ｂ〜１５１ｂ  高抵抗配線
【図１】
0006421080.tif 000002
【図２】
0006421080.tif 000003
【図３】
0006421080.tif 000004
【図４】
0006421080.tif 000005
【図５】
0006421080.tif 000006
【図６】
0006421080.tif 000007
【図７】
0006421080.tif 000008
【図８】
0006421080.tif 000009